(57)【要約】【課題】上下１種類のシート部を用いることで、様々な高さ寸法を有するエレベータ乗場開口部を養生できる養生装置を提供する。【解決手段】  開口壁部５ａにおける乗場開口部５の上端近傍且つ幅方向両側に取り付けられる一対の上部固定部４と、開口壁部５ａにおける乗場開口部５の下端近傍且つ幅方向両側に取り付けられる一対の下部固定部３と、上部固定部４に支持され、上部連結部１ａを有し且つ乗場開口部５の上部側を覆う上部シート部１と、下部固定部３に支持され、下部連結部２ａを有し且つ乗場開口部５の下部側を覆う下部シート部２を備え、上部シート部１及び下部シート部２は、上部連結部１ａと下部連結部２ａとの係合により上下方向に連結して乗場開口部５を覆う養生シートを構成し、係合位置を選択することで、前記養生シートの上下方向の長さを決定する。【選択図】図１
2017227060.tif 000002
【特許請求の範囲】
【請求項１】
エレベータ乗場開口部の周囲に位置する開口壁部に取り付けられ、当該エレベータ乗場開口部の養生を行うエレベータ乗場開口部の養生装置であって、
前記開口壁部における前記エレベータ乗場開口部の上端近傍且つ幅方向両側に、着脱可能に各々取り付けられる一対の上部固定部と、
前記開口壁部における前記エレベータ乗場開口部の下端近傍且つ幅方向両側に、着脱可能に各々取り付けられる一対の下部固定部と、
前記上部固定部に支持され、前記エレベータ乗場開口部の上部側を覆う上部シート部と、
前記下部固定部に支持され、前記エレベータ乗場開口部の下部側を覆う下部シート部と、
を備え、
前記上部シート部は、上下方向に長い上部連結部を有し、
前記下部シート部は、前記上部連結部に係脱可能に係合する下部連結部を有し、
前記上部シート部及び前記下部シート部は、前記上部連結部と前記下部連結部とが係合することで上下方向に連結して前記エレベータ乗場開口部を覆う養生シートを構成し、上下方向の係合位置を選択することで、前記養生シートの上下方向の長さを決定するエレベータ乗場開口部の養生装置。
【請求項２】
前記上部連結部は、前記上部シート部のエレベータ昇降路側となる面に設けられ、前記下部連結部は、前記下部シート部のエレベータ乗場側となる面に設けられる請求項１記載のエレベータ乗場開口部の養生装置。
【請求項３】
前記上部シート部は、前記エレベータ乗場開口部を覆う上部シートと、前記上部シートに配設され且つ前記上部シートの幅方向両側端から延出し、当該延出した部分が前記一対の上部固定部に各々支持される桟と、を備え、
前記下部シート部は、前記エレベータ乗場開口部を覆う下部シートと、前記下部シートに配設され且つ前記下部シートの幅方向両側端から延出し、当該延出した部分が前記一対の下部固定部に各々支持される桟と、を備える、
請求項１または請求項２記載のエレベータ乗場開口部の養生装置。
【請求項４】
前記上部連結部は、前記上部シート部の下端部に設けられ、前記下部連結部は、前記下部シート部の上端部に設けられる請求項２記載のエレベータ乗場開口部の養生装置。
【発明の詳細な説明】
【技術分野】
【０００１】
本発明は、エレベータの乗場開口部を養生するエレベータ乗場開口部の養生装置に関する。
【背景技術】
【０００２】
一般的にエレベータの据付時には、乗場装置が取付けられていないエレベータ乗場開口部が形成される期間が存在する。この期間中、前記エレベータ乗場開口部には、当該開口部からの落下を防止する目的で、この開口部を覆う（養生する）養生装置が配設される。しかしながら、前記エレベータ乗場開口部の開口寸法は、エレベータの機種に応じて、多種存在するため、前記エレベータ乗場開口部を覆う養生装置も多種の寸法を必要としていた。
【０００３】
そこで、近年では、エレベータ乗場開口部の高さ寸法に応じて、複数の高さ寸法を有するシート体を組み合わせて連結することで、様々な高さ寸法を有する各々のエレベータ乗場開口部に対応可能とした養生装置が提案されている(例えば、特許文献１参照)。
【先行技術文献】
【特許文献】
【０００４】
【特許文献１】特開２００４−１６８４７８号公報
【発明の概要】
【発明が解決しようとする課題】
【０００５】
しかしながら、前述した特許文献１に開示されたエレベータ乗場開口部の養生装置は、様々な高さ寸法を有する複数種のシート体を組み合わせる必要があるため、多種類のシート体を各々作成して保管する必要が有り、その作成、保管にコストが多くかかるという不都合がある。
【０００６】
本発明は、以上の点を考慮してなされたものであり、上下１種類ずつのシート部を用いることにより、様々な高さ寸法を有するエレベータ装置の乗場開口部を養生することが可能なエレベータ乗場開口部の養生装置を提供することを目的とする。
【課題を解決するための手段】
【０００７】
この目的を達成するため、本発明は、エレベータ乗場開口部の周囲に位置する開口壁部に取り付けられ、前記エレベータ乗場開口部の養生を行うエレベータ乗場開口部の養生装置であって、前記開口壁部における前記エレベータ乗場開口部の上端近傍且つ幅方向両側に、着脱可能に各々取り付けられる一対の上部固定部と、前記開口壁部における前記エレベータ乗場開口部の下端近傍且つ幅方向両側に、着脱可能に各々取り付けられる一対の下部固定部と、前記上部固定部に支持され、前記エレベータ乗場開口部の上部側を覆う上部シート部と、前記下部固定部に支持され、前記エレベータ乗場開口部の下部側を覆う下部シート部と、を備え、前記上部シート部は、上下方向に長い上部連結部を有し、前記下部シート部は、前記上部連結部に係脱可能に係合する下部連結部を有し、前記上部シート部及び前記下部シート部は、前記上部連結部と前記下部連結部とが係合することで上下方向に連結して前記エレベータ乗場開口部を覆う養生シートを構成し、上下方向の係合位置を選択することで、前記養生シートの上下方向の長さを決定するエレベータ乗場開口部の養生装置を提供するものである。
【発明の効果】
【０００８】
本発明に係るエレベータ乗場開口部の養生装置は、上下１種類ずつのシート部を用い、両者の連結位置を可変とすることにより、様々な高さ寸法を有するエレベータ装置の乗場開口部を養生することが可能である。
【図面の簡単な説明】
【０００９】
【図１】本発明の実施形態に係るエレベータ乗場開口部の養生装置の上部シート部をエレベータ装置の乗場側から見た斜視図である。
【図２】本発明の実施形態に係るエレベータ乗場開口部の養生装置の下部シート部をエレベータ装置の乗場側から見た斜視図である。
【図３】本発明の実施形態に係るエレベータ乗場開口部の養生装置の下部シート部を固定する下部固定部を示す斜視図である。
【図４】本発明の実施形態に係るエレベータ乗場開口部の養生装置の上部シート部を固定する上部固定部を示す斜視図である。
【図５】図３に示す下部固定部をエレベータ乗場開口部におけるエレベータ装置の乗場に対する出入口を画定する開口壁部に取り付けた状態を示す斜視図である。
【図６】図５に示す下部固定部に図２に示す下部シート部を取り付けた状態を示す斜視図である。
【図７】本発明の実施形態に係るエレベータ乗場開口部の養生装置（全体）をエレベータ乗場開口部を覆うように、前記開口壁部に取り付けた状態を示す斜視図である。
【図８】図７に示すエレベータ乗場開口部の養生装置を、図７に示すエレベータ乗場開口部よりも高さ寸法が短いエレベータ乗場開口部の前記開口壁部に取り付けた状態を示す斜視図である。
【図９】本発明の実施形態に係るエレベータ乗場開口部の養生装置を取り付ける手順を示すフローチャートである。
【発明を実施するための形態】
【００１０】
次に、本発明の実施形態に係るエレベータ乗場開口部（以下、「乗場開口部」と記す）の養生装置（以下、「養生装置」と記す）について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１１】
図１は、本実施形態に係る養生装置の上部シート部をエレベータ装置の乗場（以下、「乗場」と記す）側から見た斜視図、図２は、本実施形態に係る養生装置の下部シート部を乗場側から見た斜視図、図３は、図２に示す下部シート部を固定する下部固定部を示す斜視図、図４は、図１に示す上部シート部を固定する上部固定部を示す斜視図、図５は、図３に示す下部固定部を乗場開口部における乗場に対する出入口を画定する開口壁部に取り付けた状態を示す斜視図、図６は、図５に示す下部固定部に図２に示す下部シート部を取り付けた状態を示す斜視図、図７は、本実施形態に係る養生装置を乗場開口部を覆うように、前記開口壁部に取り付けた状態を示す斜視図、図８は、図７に示す乗場開口部の養生装置を、図７に示す乗場開口部よりも高さ寸法が短い乗場開口部の開口壁部に取り付けた状態を示す斜視図である。
【００１２】
図７に全体構成を示す本実施形態に係る養生装置１００は、乗場開口部５における乗場に対する出入口を画定する開口壁部５ａに取り付けられ、乗場開口部５を覆うことで、乗場開口部５の養生（例えば、作業時における危険防止や事故の予防、落下物の防止、あるいは汚れ防止等）を行うものである。
【００１３】
なお、本実施形態では、乗場開口部５の上下方向を養生装置１００の「上下方向」とし、乗場開口部５の上下方向に垂直な方向（水平方向）を養生装置１００の「幅方向」として説明する。
【００１４】
養生装置１００は、図１〜図７に示すように、上部シート部１と、上部シート部１の下端部に連結される下部シート部２と、下部シート部２を開口壁部５ａに固定する下部固定部３と、上部シート部１を開口壁部５ａに固定する上部固定部４と、を有して構成されている。
【００１５】
上部シート部１は、図１及び図７に示すように、上部固定部４を介して開口壁部５ａに取り付けられた際に、乗場開口部５の上部側を覆う上部シート１ｓと、上部シート１ｓの上下方向中央よりも下側に互いに幅方向に間隔をおいて設けられた３つの上部連結部１ａと、上部シート１ｓの上端部に位置し且つ幅方向両端が開放された袋状に形成された袋状部１ｂと、袋状部１ｂ内に収納され且つ両端部が袋状部１ｂの開放端から各々延出する長尺棒状の上桟１ｃと、を有している。
【００１６】
上部シート１ｓは、図７に示すように、乗場開口部５の幅よりも若干長い幅を有すると共に、乗場開口部５の上端から乗場開口部５の上下方向中央よりも下側の部分（図７参照）まで達する長さを有しており、乗場開口部５の上端から上下方向中央よりも下側の部分までを覆うことができるようになっている。
【００１７】
また、上部シート１ｓには、乗場側から見て読み取ることができる文字や絵等が記載されている。この文字や絵等は、後に詳述する各上部連結部１ａの上端よりも上部に記載されている。この文字や絵等の内容は、作業中であることを告知するものや、注意喚起を促すもの、あるいは企業名や宣伝、アート等、任意により決定することができる。また、文字や絵等は、必ずしも記載しなくてもよい。
【００１８】
各上部連結部１ａは、面ファスナから構成され、上部シート部１が上部固定部４を介して開口壁部５ａに取り付けられた際にエレベータ装置の昇降路側となる上部シート１ｓの面（図１では裏面）に設けられている。各上部連結部１ａは、図１に示すように、上下方向に長い略長方形状を有しており、上部シート１ｓの上下方向中央よりも若干下となる位置から上部シート１ｓの下端付近となる位置まで配設されている。これらの上部連結部１ａのうちの１つは、上部シート１ｓの幅方向略中央部に位置し、残りの２つは、上部シート１ｓの幅方向両端部に各々配設されている。
【００１９】
下部シート部２は、図２、図６及び図７に示すように、下部固定部３を介して開口壁部５ａに取り付けられた際に、乗場開口部５の下部側を覆う下部シート２ｓと、下部シート２ｓの上端部に設けられた下部連結部２ａと、下部シート２ｓの上端部に位置し且つ幅方向両端が開放された袋状に形成された袋状部２ｂと、下部シート２ｓの上下方向略中央部に位置し且つ幅方向両端が開放された袋状に形成された袋状部２ｃと、下部シート２ｓの下端部に位置し且つ幅方向両端が開放された袋状に形成された袋状部２ｆと、袋状部２ｂ内に収納され且つ両端部が袋状部２ｂの開放端から各々延出する長尺棒状の上桟２ｄと、袋状部２ｃ内に収納され且つ両端部が袋状部２ｃの開放端から各々延出する長尺棒状の中桟２ｅと、袋状部２ｆ内に収納され且つ両端部が袋状部２ｆの開放端から各々延出する長尺板状の下桟２ｇと、を有している。
【００２０】
下部シート２ｓは、図６及び図７に示すように、乗場開口部５の幅よりも若干長い幅を有すると共に、乗場開口部５の下端から乗場開口部５の上下方向中央よりも若干下側の部分（図６参照）まで達する長さを有しており、乗場開口部５の下端から上下方向中央よりも若干下側の部分までを覆うことができるようになっている。この下部シート２ｓには、
乗場側から見て読み取ることができる文字や絵等が記載されている。この文字や絵等は、後に詳述する下部連結部２ａの下端よりも下部に記載されている。
【００２１】
下部連結部２ａは、各上部連結部１ａと係脱可能に係合する面ファスナから構成され、下部シート部２が下部固定部３を介して開口壁部５ａに取り付けられた際に乗場側となる下部シート２ｓの面（図２では表面）に設けられている。この下部連結部２ａは、幅方向に長い略長方形状を有しており、下部シート２ｓの幅方向に沿って、下部シート２ｓの幅方向両端部まで配設されている。
【００２２】
この構成を備えた上部シート部１と下部シート部２は、上部連結部１ａと下部連結部２ａとを係合させることで連結され、乗場開口部５を覆う養生シートを構成する。ここで、上部シート部１には上下方向に長い上部連結部１ａが設けられ、下部シート部２には上部連結部１ａと係合する下部連結部２ａが設けられているため、上部連結部１ａに対する下部連結部２ａの上下方向の位置を選択して両者を係合させ、上部シート部１と下部シート部２を連結させることで、養生装置１００の上下方向の長さ（前記養生シートの上下方向の長さ）を変更させることができる。したがって、上下１種類ずつのシート部（上部シート部１及び下部シート部２）を用いることにより、様々な高さ寸法を有する乗場開口部を養生することが可能となる（図８参照）。
【００２３】
また、上部シート１ｓ及び下部シート２ｓに記載した文字や絵等は、前述したように上部連結部１ａの配設位置及び下部連結部２ａの配設位置を避けた位置に記載されているため、図８に示すように、上部連結部１ａに対する下部連結部２ａの位置を変更し、養生装置１００の上下方向の長さを変更（図８の場合、短く）しても、前記文字や絵等が見難くなることはない。
【００２４】
下部固定部３は、図５〜７に示すように、開口壁部５ａの乗場側を向く面であって、乗場開口部５の幅方向両側近傍となる面に、下端が乗場の床面に接するように、あるいは前記床面と多少の隙間をおいた状態となるように各々取り付けられる。この下部固定部３は、図３及び図５〜７に示すように、上部から下部に向けて順に、下部シート部２の上桟２ｄの端部を受領して支持する固定切欠き３ｂ、中桟２ｅの端部を受領して支持する固定切欠き３ｃ及び下桟２ｇの端部を受領して支持する固定切欠き３ｄが形成された下部シート支持部３１と、下部シート支持部３１の固定切欠き３ｂ〜３ｄが形成されている側とは反対側の端部を角部として略直角に曲げられた固定端部３２と、を有している。即ち、下部固定部３は、上下方向の端面形状が略Ｌ字状を有している。
【００２５】
固定端部３２は、開口壁部５ａに下部固定部３を固定する際に、開口壁部５ａの乗場側を向く面に固定される。この固定端部３２には、下部固定部３を開口壁部５ａに固定するための固定具が貫通する複数の固定穴３ａが形成されている。そして、この下部固定部３は、図５〜７に示すように、開口壁部５ａに取付けられた際に、下部シート支持部３１に形成されている固定切欠き３ｂ〜３ｄが乗場側を向くようになっており、固定切欠き３ｄは、乗場の床との間の距離が短くなるように、下部シート支持部３１の下端に形成されている。
【００２６】
上部固定部４は、図７に示すように、開口壁部５ａの乗場側を向く面であって、乗場開口部５の幅方向両側近傍であり且つ乗場開口部５の上端よりも上方となる面に各々取り付けられる。この上部固定部４は、図４及び図７に示すように、上部シート部の上桟１ｃの端部を受領して支持する固定切欠き４ｂが形成された上部シート支持部４１と、上部シート支持部４１の固定切欠き４ｂが形成されている側とは反対側の端部を角部として略直角に曲げられた固定端部４２を有している。即ち、上部固定部４は、上下方向の端面形状が略Ｌ字状を有している。
【００２７】
固定端部４２は、開口壁部５ａに上部固定部４を固定する際に、開口壁部５ａの乗場側を向く面に固定される。この固定端部４２には、上部固定部４を開口壁部５ａに固定するための固定具が貫通する複数の固定穴４ａが形成されている。そして、この上部固定部４は、図７に示すように、開口壁部５ａに取付けられた際に、上部シート支持部４１に形成されている固定切欠き４ｂが乗場側を向くようになっている。
【００２８】
次に、本実施形態に係る養生装置１００を開口壁部５ａに取り付けて乗場開口部５の養生を行う方法について、図５〜図９を参照して説明する。なお、図９は、養生装置１００を取り付ける手順を示すフローチャートである。
【００２９】
先ず、図９に示すステップＳ１０１では、図５に示すように、一対の下部固定部３の各々の固定端部３２を、開口壁部５ａの乗場側を向く面であって、乗場開口部５の幅方向両側近傍となる面に対向させ、下部固定部３の下端が乗場の床面に接するようにして配置し、固定端部３２に形成された固定穴３ａに図示しない固定具を挿入して、当該固定具により下部固定部３を開口壁部５ａに固定する。より具体的には、例えば、固定具としてアンカボルトを使用し、当該アンカボルトを開口壁部５ａに打ち込むことで固定する。なお、本実施形態では、一対の下部固定部３として、同一形状の下部固定部３を使用したため、両下部固定部３は、固定端部３２が下部シート支持部３１に対し図５でいう左側に位置している。その後、ステップＳ１０２に進む。
【００３０】
次に、ステップＳ１０２では、図６に示すように、一対の下部固定部３に各々形成されている固定切欠き３ｂ、３ｃ及び３ｄに、下部シート部２の上桟２ｄの端部、中桟２ｅの端部及び下桟２ｇの端部を各々挿入する。この時、上桟２ｄ、中桟２ｅ及び下桟２ｇは、下部シート部２の下部連結部２ａが乗場側を向くように挿入する。この動作により、一対の固定切欠き３ｂ、３ｃ及び３ｄは、上桟２ｄ、中桟２ｅ及び下桟２ｇの各々の端部を受領して支持し、これらを固定する。
【００３１】
このように、上桟２ｄ、中桟２ｅ及び下桟２ｇは、下部固定部３を介して開口壁部５ａに取り付けられると共に、各々の両端部が乗場開口部５の幅方向外側に延出するため、仮に、下部シート部２に大きな外力が掛かったとしても、前記両端部が開口壁部５ａに当接するため、乗場開口部５の奥に設けられる図示しない昇降路内に、下部シート部２が落下することを防止することができる。また、前述したように、固定切欠き３ｄは、乗場の床との間の距離が短くなるように、下部シート支持部３１の下端に形成されているため、下部シート２ｓの下端は、乗場の床面に近接しているため、前記床面と下部シート２ｓの下端との間から異物が入り込んで前記昇降路内に落下することも防止することができる。その後、ステップＳ１０３に進む。
【００３２】
ステップＳ１０３では、図７に示すように、一対の上部固定部４の各々の固定端部４２を、開口壁部５ａの乗場側を向く面であって、乗場開口部５の幅方向両側近傍であり且つ乗場開口部５の上端よりも上方となる面に対向させて配置し、固定端部４２に形成された固定穴４ａに図示しない固定具を挿入して、当該固定具により上部固定部４を開口壁部５ａに固定する。なお、固定具は、下部固定部３を固定する固定具と同様のものを使用することができる。また、本実施形態では、一対の上部固定部４として、同一形状の上部固定部４を使用したため、両上部固定部４は、固定端部４２が上部シート支持部４１に対し図５でいう左側に位置している。その後、ステップＳ１０４に進む。
【００３３】
ステップＳ１０４では、図７に示すように、一対の上部固定部４に各々形成されている固定切欠き４ｂに、上部シート部１の上桟１ｃの端部を各々挿入する。この時、上桟１ｃは、上部シート部１の上部連結部１ａが昇降路側を向くように挿入する。この動作により、一対の固定切欠き４ｂは、上桟１ｃの各々の端部を受領して支持し、これらを固定する。
【００３４】
このように、上桟１ｃは、上部固定部４を介して開口壁部５ａに取り付けられると共に、その両端部が乗場開口部５の幅方向外側に延出するため、仮に、上部シート部１に大きな外力が掛かったとしても、前記両端部が開口壁部５ａに当接するため、乗場開口部５の奥に設けられる図示しない昇降路内に、上部シート部１が落下することを防止することができる。また、前述したように、固定切欠き４ｂは、乗場開口部５の上端よりも上方となる開口壁部５ａ面に位置しているため、上部シート１ｓの上端は、乗場開口部５の上端よりも上方に位置することになる。よって、上部シート部１は、乗場開口部５の上部も覆うことができる。その後、ステップＳ１０５に進む。
【００３５】
次に、ステップＳ１０５では、上部シート部１の昇降路側（背面側）に設けられた上部連結部１ａに、下部シート部２の乗場側（正面側）に設けられた下部連結部２ａを係合させ、両者を連結する。
【００３６】
このように、上部シート部１と下部シート部２は、下部シート部２の下端部が乗場側に位置し、下部シート部２の上端部が昇降路側に位置した状態で連結されるため、乗場側には、両者の連結面（上部連結部１ａと下部連結部２ａとが係合する面）の下端が位置することになる。したがって、上部シート部１または下部シート部２あるいは両者に、何らかの異物が接触したとしても、両者の連結面での前記係合が解除され、上部シート部１と下部シート部２とが剥がれることを防止することができる。この結果、異物の落下を確実に阻止することが出来る。
【００３７】
以上の動作により、養生装置１００の取り付け作業が完了し、養生装置１００による乗場開口部５の養生が行われる。なお、乗場開口部５の養生を行う必要がなくなった場合は、上部シート部１及び下部シート部２を上部固定部４及び下部固定部３から各々取り外し、開口壁部５ａから前記固定具を取り外すことで、養生装置１００を回収でき、この養生装置１００を他の乗場開口部の養生に再利用することができる。
【００３８】
なお、前述したように、養生装置１００は、上下１種類ずつのシート部（上部シート部１及び下部シート部２）を用い、上部連結部１ａと下部連結部２ａとの係合の上下位置を選択することで、養生シート全体の上下方向の長さを調整可能である。したがって、例えば、図７に示す乗場開口部５よりも上下方向の寸法（高さ寸法）が短い乗場開口部５の養生を行う際は、図８に示すように、上部連結部１ａと下部連結部２ａとの係合位置を、図７に示す係合位置よりも上方にずらして養生シート全体の上下方向の長さを短くすることで、簡単に対応可能である。よって、様々な高さ寸法を有する乗場開口部を養生することが可能となる。
【００３９】
また、本実施形態では、上部連結部１ａ及び下部連結部２ａとして、互いに係合する面ファスナを用いたが、養生装置１００による乗場開口部５の養生時には、面積の大きな上部連結部１ａが昇降路側に位置し、下部連結部２ａは上部シート部１によってカバーされた状態となるため、面ファスナに埃や塵等が付着することを防止することもできる。また、乗場側の異物が面ファスナに付着することも防止することができる。よって、より一層の安全を確保することができると共に、面ファスナのメンテナンス回数を減らすこともできる。
【００４０】
なお、本実施形態では、上部シート１ｓに、互いに間隔をおいて３つの上部連結部１ａを設けた場合について説明したが、これに限らず、上部連結部１ａの配設数、配設位置、長さ、幅は、下部シート部２の連結に支承を来さない範囲であれば、任意に設定することができる。
【００４１】
また、本実施形態では、下部シート２ｓの上端部に、幅方向に長い略長方形状を有する下部連結部２ａを設けた場合について説明したが、これに限らず、下部連結部２ａは、上部連結部１ａと係脱可能に係合し、下部シート部２を上部シート部１に連結可能であれば、配設数、配設位置、長さ、幅は、任意に設定することができる。
【００４２】
そしてまた、本実施形態では、上部固定部４に１つの固定切欠き４ｂを形成した場合について説明したが、これに限らず、上部固定部４には、所望により２つ以上の固定切欠きを形成してもよい。この場合、上部シート部１には、各々の固定切欠きに各々挿入される桟あるいは下桟を設ければよい。また、上部固定部４は、図７及び図８に示す上部固定部４に加え、この上部固定部４よりも下方の所望位置にさらに固定してもよい。この場合、上部シート部１には、追加した上部固定部４の固定切欠き４ｂに両端部が各々挿入される中桟を配設すればよい。また、上部シート部１の上桟１ｃを受領して支持可能であれば、切欠きに限らず、フック等、他の構成を有していてもよい。
【００４３】
また、本実施形態では、下部固定部３に３つの固定切欠き３ｂ〜３ｄを形成した場合について説明したが、これに限らず、下部固定部３には、所望により４つ以上の固定切欠きを形成してもよい。この場合、下部シート部２には、各々の固定切欠きに各々挿入される桟あるいは下桟を設ければよい。また、下部シート部２の上桟２ｄ、中桟２ｅ、下桟２ｇを受領して支持可能であれば、切欠きに限らず、フック等、他の構成を有していてもよい。
【００４４】
さらにまた、本実施形態では、一対の下部固定部３として同一形状の下部固定部３を用い、一対の上部固定部４として同一の上部固定部４を用いた場合について説明したが、これに限らず、一対の下部固定部３及び一対の上部固定部４は、開口壁部５ａに取り付けた際に、上下方向に延びる線に対し対称となる形状を有していてもよい。
【符号の説明】
【００４５】
１…上部シート部、１ａ…上部連結部、１ｂ、２ｂ、２ｃ、２ｆ…袋状部、１ｃ、２ｄ…上桟、１ｓ…上部シート、２…下部シート部、２ａ…下部連結部、２ｅ…中桟、２ｇ…下桟、２ｓ…下部シート、３…下部固定部、３ａ、４ａ…固定穴、４…上部固定部、５…乗場開口部、５ａ…開口壁部、３１…下部シート支持部、３２、４２…固定端部、４１…上部シート支持部、１００…養生装置
【図１】
2017227060.tif 000003
【図２】
2017227060.tif 000004
【図３】
2017227060.tif 000005
【図４】
2017227060.tif 000006
【図５】
2017227060.tif 000007
【図６】
2017227060.tif 000008
【図７】
2017227060.tif 000009
【図８】
2017227060.tif 000010
【図９】
2017227060.tif 000011